(57)【要約】  【課題】  4k映像をFullHDモニタ４台を使って表示するように、4台のモニタを並べて１つの映像を表示することがある。この場合、同じ画面サイズの4台を揃えるのが大変であり、やむなく異なるサイズのモニタを使うことがあった。これに対して映像出力は4k映像を4等分したものであり、全体として見ると不正な表示となっていた。  【解決手段】  各モニターのサイズ、解像度を検出し、元画像の分割位置、リサイズ倍率を制御して、正しく表示可能とする。【選択図】  図３
2013143709.tif 000002
【特許請求の範囲】
【請求項１】
４台の相似形の異なるサイズのモニターを１つの頂点を合わせるように格子状に並べたときに、
元画像を縦横２等分した４つの画像を、
最小のモニターサイズの２倍のサイズで、かつ、合わせた頂点を中心に配置するように、
各々の出力に合成する
ことを特徴とする画像表示装置。
【請求項２】
４台のモニターのうち最大のものと最小のものの相似比率が２倍以上ならば、画面分割処理を行わずに最大のモニターのみに画像を出力する
ことを特徴とする請求項１に記載の画像表示装置。
【請求項３】
４台の相似形の異なるサイズのモニターを格子状に並べたときに、
最小のモニターと２番目に小さいモニターの縦横の長さをそれぞれ加算したサイズに見えるように、
元画像を４分割した４つの画像を各々の出力に合成する
ことを特徴とする画像表示装置。
【請求項４】
４台のモニターのうち最大のもののサイズが、最小のものと２番目に小さいものの縦横をそれぞれ加算したもののサイズ以上ならば、画面分割処理を行わずに最大のモニターのみに画像を出力する
ことを特徴とする請求項１に記載の画像表示装置。
【発明の詳細な説明】
【技術分野】
【０００１】
本発明は１つの画像を４台の表示装置に分割表示する手法に関するものである。
【背景技術】
【０００２】
近年、テレビ放送がハイビジョン化され、1920×1080の解像度を持つLCDモニターが普及している。これはテレビモニターとしてだけでなく、パーソナルコンピューターのモニターとしても一般的となっている。
【０００３】
一方、新たな映像元として、およそ4000×2000の解像度を持つ、いわゆる４ｋ映像が注目されている。
【０００４】
この４ｋ映像をそのままの解像度で表示するモニターは普及しておらず、上記の1920×1080の解像度を持つLCDモニターを４台並べたり、特許文献1、２のようにプロジェクターを４台並べたりして、元画像を４分割して表示することがある。
【先行技術文献】
【特許文献】
【０００５】
【特許文献１】特開2006-42191号公報
【特許文献２】特開平6-105229号公報
【発明の概要】
【発明が解決しようとする課題】
【０００６】
しかしながら、上記従来例では４台の同じサイズのモニターを準備する必要があり、異なるサイズのモニターを使った場合では、図５−５１のように、画像が正しく表示できないという問題点があった。
【課題を解決するための手段】
【０００７】
本発明の画像表示装置は、
４台の相似形の異なるサイズのモニターを１つの頂点を合わせるように格子状に並べたときに、
元画像を縦横２等分した４つの画像を、
最小のモニターサイズの２倍のサイズで、かつ、合わせた頂点を中心に配置するように、
各々の出力に合成する
ことを特徴としている。
【０００８】
また、本発明の他の特徴とするところは、
４台のモニターのうち最大のものと最小のものの相似比率が２倍以上ならば、画面分割処理を行わずに最大のモニターのみに画像を出力する
ことを特徴としている。
【０００９】
また、本発明の他の特徴とするところは、
４台の相似形の異なるサイズのモニターを格子状に並べたときに、
最小のモニターと２番目に小さいモニターの縦横の長さをそれぞれ加算したサイズに見えるように、
元画像を４分割した４つの画像を各々の出力に合成する
ことを特徴としている。
【００１０】
また、本発明の他の特徴とするところは、
４台のモニターのうち最大のもののサイズが、最小のものと２番目に小さいものの縦横をそれぞれ加算したもののサイズ以上ならば、画面分割処理を行わずに最大のモニターのみに画像を出力する
ことを特徴としている。
【発明の効果】
【００１１】
以上説明したように、本発明によれば、
異なるサイズのモニターを使った場合でも、中心を４画面に合わせた状態で最大の正しい表示が可能となる。
【００１２】
また、異なるサイズのモニターを使った場合でも、４つの画面を最大限有効に使った正しい表示も可能となる。
【図面の簡単な説明】
【００１３】
【図１】本発明の実施形態に係るビデオカメラのブロック図である。
【図２】モニターの配置を指定する操作を説明するための図である。
【図３】第１の実施形態のフローチャートである。
【図４】第２の実施形態のフローチャートである。
【図５】４台のモニターで分割表示した表示例である。
【図６】４台のプロジェクターで分割表示した設置例である。
【発明を実施するための形態】
【００１４】
ビデオカメラにおいて本発明を適応する場合について説明するが、本発明はこれに限定されず、表示出力を制御するための装置であれば、どのような装置に適応してもよい。
【００１５】
＜第１の実施形態＞
図１は、本発明に係るビデオカメラの構成を示すブロック図である。
【００１６】
ビデオカメラ１００は、ＣＰＵ１０１、ＲＯＭ１０２、ＲＡＭ１０３、表示部１０４、入力部１０５、メモリカード１０６、メモリカードコントローラ１０７、画像処理部１０８、撮像部１０９を有しており、内部バス１１１、映像出力部１１２により接続されている。
【００１７】
ＣＰＵ１０１はビデオカメラ１００の動作を制御する演算処理装置であり、また、入力部１０５を介してユーザから入力された指示に応じて、各種プログラムを実行し、表示部１０４、映像出力部１０４の表示制御等を行う。ＲＯＭ１０２には画像や、例えばコンピュータの立ち上げ処理や基本入出力処理、後述する本発明の各処理等のプログラムが記録されている。ＣＰＵ１０１は、ＲＯＭ１０２からプログラムを読み出し、読み出したプログラムに基づいて、各部の制御および演算処理を行うことにより、各種の動作が実行される。ＲＡＭ１０３はＣＰＵ１０１のワークエリアとして使用される。表示部１０４は、グラフィックユーザインターフェースを表示するためのＬＣＤパネルを使った表示部であり、この表示部上に後述する画像や表示アイテムが表示される。
【００１８】
映像出力部１０４は、外部のモニターに接続するための出力部であり、本発明では４系統の出力を持っている。
【００１９】
入力部１０５は、ユーザからの指示を受け付けるための入力部であり、十字方向ボタン１０５ｃなどの押しボタンや、スライドスイッチなどや、表示部１０４に貼り付けられたタッチパネルなどが使用される。ユーザは入力部１０５を操作し、各種の指示を入力することで、ビデオカメラを操作できるような構成となっている。１０６はメモリカードでありビデオカメラ１００で撮影された画像が記録されている。メモリカード１０７はビデオカメラ１００に着脱可能であり、不図示の装着部に装着されると、メモリカードコントローラ１０７と接続される。メモリカードコントローラ１０７は、接続されたメモリカード１０６に対して、データの読み出し、書き込み等を行う。１０９は、撮像部であり、入力部１０５において撮影指示が入力されたことに応じて、画像を撮影する。撮像部１０９において撮像して生成された画像データは、内部バス１１１を介して画像処理部１０８に送られ、ここで、各種の画像処理、圧縮符号化処理が実行され、画像ファイルが生成される。生成された画像ファイルは、メモリカードコントローラ１０７に送られ、メモリカード１０６に記録される。なお、撮像部１０９は、動画の撮影、静止画の撮影の両方が可能であり、ユーザは、入力部１０５により、動画撮影するか静止画撮影するかを選択可能である。
【００２０】
以下、図３のフローチャートを用いて、撮像部１０９で撮影された映像、あるいはメモリーカードに記録された映像データを再生した映像を映像出力部１１２の４つの出力に割り振り、４台のモニターのそれぞれ１つの頂点を合わせて格子状に並べたマルチディスプレーシステムで、４画面の合わせた頂点に映像の中心を合致させた状態で、最大の表示とする動作を説明する。
【００２１】
Ｓ３０１で、接続したそれぞれのモニターの解像度、サイズを取得する。
【００２２】
これらは映像出力部１１２とモニターを接続するケーブルを使って、双方向通信で取得する。
【００２３】
本実施例では説明しやすいように、映像出力部１１２の４つの出力に接続するすべてのモニターは解像度1920×1080、１６：９のワイド画面とする。
【００２４】
また、元画像を3840×2160とする。
【００２５】
接続された４台のモニターのＡ、Ｂ、Ｃ、Ｄにおいて、最小のものをＡとして、
Ａ：Ｂ：Ｃ：Ｄ＝１：ｂ：ｃ：ｄ
とする。（Ａ≦Ｂ≦Ｃ≦Ｄ）。
【００２６】
次に、図２を用いて４台のモニターの位置関係を指定させるユーザーインターフェースの一例を示す。
【００２７】
Ｓ３０２で、図２２のように、モニターＡ〜Ｄに識別信号を出力し表示させる。
【００２８】
次に、Ｓ３０３で、各モニターの配置を、使用者に入力部１０５を使って指定させる。
【００２９】
ここで言う配置とは、格子状に並べたモニターのうちの左上、右上、左下、右下のいずれかである。
【００３０】
図２１は、入力部１０５にタッチパネルを使った際の表示部１０４の表示例である。
【００３１】
各モニターに表示されている図形と同じアイコンを左上、右上、左下、右下にドラッグ＆ドロップして指定する例である。
【００３２】
Ｓ３０４で、ｄ≧２ならば、４分割処理を行わず、Ｓ３０５で元画像を１／２に、すなわち1920×1080にリサイズして、Ｓ３０６でモニターＤに全画面表示する。
【００３３】
４画面に分割して表示するよりも大きく表示することができる。
【００３４】
ｄ＜２ならば、Ｓ３０７で、元画像を縦横の中心で1920×1080に４分割する。
【００３５】
この４分割した画像をＳ３０８でそれぞれリサイズして、Ｓ３０９で図のように４台のモニターの合わせた頂点に寄せて表示する。これはモニターの配置が
左上配置のモニターでは右下寄せ、
右上配置のモニターでは左下寄せ、
左下配置のモニターでは右上寄せ、
右下配置のモニターでは左上寄せ
で表示するということである。
【００３６】
各画面の余白部分は黒などで塗りつぶしてもよい。
【００３７】
最小であるモニターＡにはリサイズせずに1920×1080のまま全画面表示、
モニターＢには1920×1080を1/b倍にリサイズして、４台のモニターの合わせた頂点に寄せて表示。
【００３８】
同様に、
モニターＣには1920×1080を1/c倍にリサイズして、４台のモニターの合わせた頂点に寄せて表示、
モニターＤには1920×1080を1/d倍にリサイズして、４台のモニターの合わせた頂点に寄せて表示。
【００３９】
この結果Ｓ３１０で、中心を４画面に合わせた状態で最大の正しい表示となる。この大きさはモニターＡの４画面分である。
【００４０】
＜第２の実施形態＞
図１における各ブロックの動作説明は第１の実施形態と同様のため省略する。
【００４１】
以下、図４のフローチャートを用いて、撮像部１０９で撮影された映像、あるいはメモリーカードに記録された映像データを再生した映像を映像出力部１１２の４つの出力に割り振り、４台のモニターのそれぞれ１つの頂点を合わせて格子状に並べたマルチディスプレーシステムで、最大の表示とする動作を説明する。
【００４２】
Ｓ４０１で、接続したそれぞれのモニターの解像度、サイズを取得する。
【００４３】
これらは映像出力部１１２とモニターを接続するケーブルを使って、双方向通信で取得する。
【００４４】
本実施例では説明しやすいように、映像出力部１１２の４つの出力に接続するすべてのモニターは解像度1920×1080、１６：９のワイド画面とする。
【００４５】
また、元画像を3840×2160とする。
【００４６】
接続された４台のモニターのＡ、Ｂ、Ｃ、Ｄにおいて、最小のものをＡ、２番目に小さいものをＢとして、
Ａ：Ｂ：Ｃ：Ｄ＝１：ｂ：ｃ：ｄ
とする。（Ａ≦Ｂ≦Ｃ≦Ｄ）。
【００４７】
次に、Ｓ４０２で、モニターＡ〜Ｄに識別信号を出力し表示させる。
【００４８】
次に、Ｓ４０３で、各モニターの配置を、使用者に入力部１０５を使って指定させる。
【００４９】
ここで言う配置とは、格子状に並べたモニターのうちの左上、右上、左下、右下のいずれかである。
【００５０】
Ｓ４０４で、ｄ≧１＋ｂならば、４分割処理を行わず、Ｓ４０５で元画像を１／２に、すなわち1920×1080にリサイズして、Ｓ４０６でモニターＤに全画面表示する。
【００５１】
４画面に分割して表示するよりも大きく表示することができる。
【００５２】
ｄ＜１＋ｂならば、Ｓ４０７で、最小のモニターＡの配置に割り当てる部分が最小の画像になるように、元画像の縦横を１：ｂで４つに分割する。
【００５３】
この４分割した画像をＳ４０８でそれぞれリサイズして、Ｓ４０９で図のように４台のモニターの合わせた頂点に寄せて表示する。これはモニターの配置が
左上配置のモニターでは右下寄せ、
右上配置のモニターでは左下寄せ、
左下配置のモニターでは右上寄せ、
右下配置のモニターでは左上寄せ
で表示するということである。
【００５４】
各画面の余白部分は黒などで塗りつぶしてもよい。
【００５５】
モニターＡには最小の画像を(1+b)/2倍の1920×1080にリサイズして、全画面表示、
モニターＢには割り当てられた画像を(1+b)/2b倍にリサイズして、４台のモニターの合わせた頂点に寄せて表示。
【００５６】
同様に、
モニターＣには割り当てられた画像を(1+b)/2c倍にリサイズして、４台のモニターの合わせた頂点に寄せて表示、
モニターＤには割り当てられた画像を(1+b)/2d倍にリサイズして、４台のモニターの合わせた頂点に寄せて表示。
【００５７】
この結果Ｓ４１０で、４つの画面を最大限有効に使った正しい表示となる。
【００５８】
＜第３の実施形態＞
図６に、４台のプロジェクターで分割表示した設置例を示す。プロジェクターにおいても、各ブロックの動作および効果は同様である。
【００５９】
説明も前述の第１、第２の実施形態と同様のため省略する。
【００６０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６１】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００６３】
その場合、プログラムの機能を有していれば、オブジェクトコード、インタプリタにより実行されるプログラム、ＯＳに供給するスクリプトデータ等、プログラムの形態を問わない。
【００６４】
プログラムを供給するための記録媒体としては、例えば、ハードディスク、磁気テープ等の磁気記録媒体、光／光磁気記憶媒体、不揮発性の半導体メモリでもよい。
【００６５】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００６６】
２１‥‥タッチセンサー付ＬＣＤパネルの画面表示例
２２‥‥画面識別信号表示例
５１‥‥従来の４画面表示例
５２‥‥本発明の第１の実施例によるの４画面表示例
５３‥‥本発明の第２の実施例によるの４画面表示例
【図１】
2013143709.tif 000003
【図２】
2013143709.tif 000004
【図３】
2013143709.tif 000005
【図４】
2013143709.tif 000006
【図５】
2013143709.tif 000007
【図６】
2013143709.tif 000008